(57)【要約】【課題】再生回数を制限する機能を具える光学データ記憶メディアを提供することを課題とする。【解決手段】表面に複数の第一データ構造を含む第一基板と、前記第一基板の上方に設けられ、前記第一データ構造の上方に設けられる複数の第二データ構造を、表面に含む第二基板と、前記第二基板の表面に設けられる反射層と、前記反射層と前記第一基板との間に設けられ、前記第一データ構造を覆い被せ、可変性反射率を具えることによって前記第二データ構造の光学的な読み取りを制限する遮蔽層とを含む。【選択図】　図３
2004087071.tif 000002
【特許請求の範囲】
【請求項１】
光学データ記憶メディアにおいて、
表面に複数の第一データ構造を含む第一基板と、
前記第一基板の上方に設けられ、前記第一データ構造の上方に設けられる複数の第二データ構造を、表面に含む第二基板と、
前記第二基板の表面に設けられる反射層と、
前記反射層と前記第一基板との間に設けられ、前記第一データ構造を覆い被せ、可変性反射率によって前記第二データ構造の光学的な読み取りを制限する遮蔽層とを含んでなることを特徴とする光学データ記憶メディア。
【請求項２】
前記反射層は金属層であることを特徴とする請求項１に記載の光学データ記憶メディア。
【請求項３】
前記遮蔽層が相変化材料で構成され、前記相変化材料が前記光学データ記憶メディアを読み取るエネルギーによって非晶相と結晶相との間で制御されることを特徴とする請求項１に記載の光学データ記憶メディア。
【請求項４】
前記可変性反射率は、前記遮蔽層における結晶相構造の変化につれて増加し、かつ前記第一データ構造を光学的に読み取れるまで増加することを特徴とする請求項３に記載の光学データ記憶メディア。
【請求項５】
前記第一基板の下方にあるピックアップが発射するレーザー光により、前記光学データ記憶メディアを読み取ることを特徴とする請求項１に記載の光学データ記憶メディア。
【請求項６】
前記第一データ構造は、前記第二データ構造が読み取れない警告メッセージを表示する手段を具えることを特徴とする請求項１に記載の光学データ記憶メディア。
【請求項７】
前記第二データ構造は、前記第二基板の表面に反時計方向に沿って蝕刻されていることを特徴とする請求項１に記載の光学データ記憶メディア。
【請求項８】
光学データ記憶メディアにおいて、
表面に複数のデータ構造を含む少なくとも一つの基板と、
前記基板の表面に設けられる少なくとも一つの反射層と、
前記基板の表面に設けられ、少なくとも一つの反応性化合物を含み、前記光学データ記憶メディアを読み取る時のエネルギーにより、前記反応性化合物を前記反射層に拡散させ、前記反射層が可変性反射率によってデータ構造の光学的な読み取りを制限する少なくとも一つの反応層とを含んでなることを特徴とする光学データ記憶メディア。
【請求項９】
前記光学データ記憶メディアは、前記反射層と前記反応層との間に設けられ、前記反応性化合物が前記反応層から前記反射層に拡散する時間を制御するバリア層を含むことを特徴とする請求項８に記載の光学データ記憶メディア。
【請求項１０】
前記反応層は、前記反射層と前記基板との間に設けられることを特徴とする請求項８に記載の光学データ記憶メディア。
【請求項１１】
前記反応層は、前記反射層とピックアップとの間に設けられることを特徴とする請求項８に記載の光学データ記憶メディア。
【請求項１２】
前記光学データ記憶メディアは更に、前記光学データ記憶メディアのリードイン（ｌｅａｄ−ｉｎ）に設けられ、前記光学データ記憶メディアの読み取り回数を定義する測定機構を含むことを特徴とする請求項８に記載の光学データ記憶メディア。
【請求項１３】
光学データ記憶メディアにおいて、
表面に複数のデータ構造を含む少なくとも一つの基板と、
前記基板の表面に設けられる少なくとも一つの反射層と、
前記反射層の表面に設けられる遮蔽層と、
前記基板の表面に設けられ、少なくとも一つ反応性化合物を含み、前記光学データ記憶メディアを読み取る時のエネルギーにより、前記反応性化合物を前記遮蔽層に拡散させ、前記遮蔽層が可変性反射率によってデータ構造の光学的な読み取りを制限する少なくとも一つの反応層とを含んでなることを特徴とする光学データ記憶メディア。
【請求項１４】
前記光学データ記憶メディアは、前記反応層と前記遮蔽層との間に設けられ、前記反応性化合物が前記反応層から前記遮蔽層に拡散する時間を制御するバリア層を含むことを特徴とする請求項１３に記載の光学データ記憶メディア。
【請求項１５】
前記遮蔽層は、前記反射層とピックアップとの間に設けられることを特徴とする請求項１３に記載の光学データ記憶メディア。
【請求項１６】
前記光学データ記憶メディアのリードイン（ｌｅａｄ−ｉｎ）に設けられ、前記光学データ記憶メディアの読み取り回数を定義する測定機構を含むことを特徴とする請求項１３に記載の光学データ記憶メディア。
【発明の詳細な説明】
【０００１】
【発明の属する技術分野】
本発明は、光学データ記憶メディアに関し、特に再生回数を制限する光学データ記憶メディアに関する。
【０００２】
【従来の技術】
デジタル・バーサタイル・ディスク（ＤＶＤ）に関する技術が開発されてから、４．７ＧＢデータ記憶容量を提供する片面単層ＤＶＤ或いは８．５ＧＢデータ記憶容量を提供する片面二層ＤＶＤが出現し、その記憶容量が遥かに６５０ＭＢデータ記憶容量を提供する一般の光ディスク（ＣＤ）或いは読み取り専用光ディスク（ＣＤ−ＲＯＭ）を超える。従って、ＤＶＤが今やＩＴ産業でよく重視される光学データ記憶メディアの一つである。例えば、大量の音声画像が保存され、人々の生活を鮮やかにすることや、大量の情報と知識が記録され、科学技術の発展のもとになっている。
【０００３】
図１は従来技術による単データ層を具える光学データ記憶メディア（例えば、ＤＶＤ−５光ディスク）の断面図である。図１に示すように、光学データ記憶メディア（１０）が基板（１２）と、基板（１２）の表面における複数の窪みデータ構造（１２ａ）に被さる反射層（１４）と、反射層（１４）の表面に設けられ、基板（１２）をもう一つの基板（１８）に接着することとして使われる接着層（１６）を含む。その中、基板（１２）（１８）がともにポリカーボネート基板であり、反射層（１４）が金属などの反射材料で構成される。光学データ記憶メディア（１０）にあるデータを読み取りたい時に、使用者は、基板（１２）の下方に設けられるピックアップから発射され、焦点深さが予め合わせられるレーザー光（２０）を使い、基板（１２）及びデータ構造（１２ａ）を突き抜け、更にピックアップの判別機構で反射層（１４）から反射されてくるレーザー光（２０）を測定し、データを読み取りする及び判別する目的に達する。
【０００４】
図２は従来技術による両データ層を具える光学データ記憶メディア（例えば、ＤＶＤ−９光ディスク）の断面図である。図２に示すように、光学データ記憶メディア（３０）が基板（３２）と、基板（３２）の表面における複数の窪みデータ構造（３２ａ）に被さる半反射層（３４）と、基板（４０）の表面における複数の窪みデータ構造（４０ａ）に被さる反射層（３８）と、半反射層（３４）と反射層（３８）との間に設けられ、基板（３２）と基板（４０）を接着する接着層（３６）を含む。その中、基板（３２）（４０）がともにポリカーボネート基板であり、半反射層（３４）が金などの金属反射材料で構成され、反射層（３８）がアルミなどの金属反射材料で構成される。
【０００５】
光学データ記憶メディア（３０）にある下層データ（例えば、データ構造３２ａ）を読み取りたい時に、使用者は、基板（３２）の下方に設けられるピックアップから発射され、焦点深さが予め合わせられるレーザー光（４２）を使い、基板（３２）及びデータ構造（３２ａ）を突き抜け、更にピックアップの判別機構で半反射層（３４）から反射されてくるレーザー光（４２）を測定し、データを読み取り及び判別する目的に達する。同様的に、光学データ記憶メディア（３０）にある上層データ（例えば、データ構造４０ａ）を読み取りたい時に、使用者は、基板（３２）の下方に設けられるピックアップから発射され、焦点深さが予め合わせられるレーザー光（４４）を使い、基板（３２）、半反射層（３４）及び接着層（３６）を突き抜け、反射層（３８）に至って、更にピックアップの判別機構で反射層（３８）から反射されてくるレーザー光（４４）を測定し、データ構造（４０ａ）を読み取りする及び判別する目的に達する。
【０００６】
ＤＶＤが高記憶容量の長所を具えるので、近年ますます多くなるデータがＤＶＤで記憶メディアとして保存されている。しかし、ＤＶＤの普及につれて、ＤＶＤに記録されるデータの違法コピーによる被害確率も上がる。コピー防止プログラムがハッカーに破れる可能性は極めて大きいので、よりパワフルな保護メカニズムを開発し、ＤＶＤに記録される有効的なデータ（例えば、アプリケーションソフト或いは音声画像のマルチメディア情報）が違法的にコピーされることを防止することが、目下、ＩＴ産業の当業者の主要な研究課題となった。
【０００７】
【発明が解決しようとする課題】
この発明は、再生回数を制限する機能を具える光学データ記憶メディアを提供することを課題とする。
【０００８】
【課題を解決するための手段】
そこで、本発明者は従来の技術に見られる欠点に鑑み鋭意研究を重ねた結果、表面に複数の第一データ構造を含む第一基板と、前記第一基板の上方に設けられ、前記第一データ構造の上方に設けられる複数の第二データ構造を、表面に含む第二基板と、前記第二基板の表面に設けられる反射層と、前記反射層と前記第一基板との間に設けられ、前記第一データ構造を覆い被せ、可変性反射率によって前記第二データ構造の光学的な読み取りを制限する遮蔽層とを含む構造によって課題を解決できる点に着眼し、かかる知見に基づいて本発明を完成させた。
【０００９】
以下、この発明について具体的に説明する。
請求項１に記載する光学データ記憶メディアは、表面に複数の第一データ構造を含む第一基板と、前記第一基板の上方に設けられ、前記第一データ構造の上方に設けられる複数の第二データ構造を、表面に含む第二基板と、前記第二基板の表面に設けられる反射層と、前記反射層と前記第一基板との間に設けられ、前記第一データ構造を覆い被せ、可変性反射率によって前記第二データ構造の光学的な読み取りを制限する遮蔽層とを含む。
【００１０】
請求項２に記載する光学データ記憶メディアは、請求項１に記載する光学データ記憶メディアにおいて、反射層が金属層である。
【００１１】
請求項３に記載する光学データ記憶メディアは、請求項１に記載する光学データ記憶メディアにおいて、遮蔽層が相変化材料で構成され、前記相変化材料が前記光学データ記憶メディアを読み取るエネルギーによって非晶相と結晶相との間で制御される。
【００１２】
請求項４に記載する光学データ記憶メディアは、請求項３に記載する光学データ記憶メディアにおいて、可変性反射率は、前記遮蔽層における結晶相構造の変化につれて増加し、かつ前記第一データ構造を光学的に読み取れるまでに増加する。
【００１３】
請求項５に記載する光学データ記憶メディアは、請求項１に記載する光学データ記憶メディアにおいて、第一基板の下方にあるピックアップが発射するレーザー光により、前記光学データ記憶メディアを読み取る。
【００１４】
請求項６に記載する光学データ記憶メディアは、請求項１に記載する光学データ記憶メディアにおいて、第一データ構造は、前記第二データ構造が読み取れない警告メッセージを表示する手段を具える。
【００１５】
請求項７に記載する光学データ記憶メディアは、請求項１に記載する光学データ記憶メディアにおいて、第二データ構造は、前記第二基板の表面に反時計方向に沿って蝕刻されている。
【００１６】
請求項８に記載する光学データ記憶メディアは、表面に複数のデータ構造を含む少なくとも一つの基板と、前記基板の表面に設けられる少なくとも一つの反射層と、前記基板の表面に設けられ、少なくとも一つの反応性化合物を含み、前記光学データ記憶メディアを読み取る時のエネルギーにより、前記反応性化合物を前記反射層に拡散させ、前記反射層が可変性反射率によってデータ構造の光学的な読み取りを制限する少なくとも一つの反応層とを含む。
【００１７】
請求項９に記載の光学データ記憶メディアは、請求項８に記載する光学データ記憶メディアにおいて、前記反射層と前記反応層との間に設けられ、前記反応性化合物が前記反応層から前記反射層に拡散する時間を制御するバリア層を含む。
【００１８】
請求項１０に記載の光学データ記憶メディアは、請求項８に記載する光学データ記憶メディアにおいて、前記反応層は、前記反射層と前記基板との間に設けられる。
【００１９】
請求項１１に記載の光学データ記憶メディアは、請求項８に記載する光学データ記憶メディアにおいて、前記反応層は、前記反射層とピックアップとの間に設けられる。
【００２０】
請求項１２に記載の光学データ記憶メディアは、請求項８に記載する光学データ記憶メディアにおいて、前記光学データ記憶メディアは更に、前記光学データ記憶メディアのリードイン（ｌｅａｄ−ｉｎ）に設けられ、前記光学データ記憶メディアの読み取り回数を定義する測定機構を含む。
【００２１】
請求項１３に記載の光学データ記憶メディアは、表面に複数のデータ構造を含む少なくとも一つの基板と、前記基板の表面に設けられる少なくとも一つの反射層と、前記反射層の表面に設けられる遮蔽層と、前記基板の表面に設けられ、少なくとも一つ反応性化合物を含み、前記光学データ記憶メディアを読み取る時のエネルギーにより、前記反応性化合物を前記遮蔽層に拡散させ、前記遮蔽層が可変性反射率によってデータ構造の光学的な読み取りを制限する少なくとも一つの反応層とを含む。
【００２２】
請求項１４に記載の光学データ記憶メディアは、請求項１３に記載する光学データ記憶メディアにおいて、前記反応層と前記遮蔽層との間に設けられ、前記反応性化合物が前記反応層から前記遮蔽層に拡散する時間を制御するバリア層を含む。
【００２３】
請求項１５に記載の光学データ記憶メディアは、請求項１３に記載する光学データ記憶メディアにおいて、遮蔽層は、前記反射層とピックアップとの間に設けられる。
【００２４】
請求項１６に記載の光学データ記憶メディアは、請求項１３に記載する光学データ記憶メディアにおいて、前記光学データ記憶メディアのリードイン（ｌｅａｄ−ｉｎ）に設けられ、前記光学データ記憶メディアの読み取り回数を定義する測定機構を含む。
【００２５】
【発明の実施の形態】
本発明は、光学データ記憶メディアに関し、特に再生回数を制限する光学データ記憶メディアに関し、表面に複数の第一データ構造を含む第一基板と、前記第一基板の上方に設けられ、前記第一データ構造の上方に設けられる複数の第二データ構造を、表面に含む第二基板と、前記第二基板の表面に設けられる反射層と、前記反射層と前記第一基板との間に設けられ、前記第一データ構造を覆いかぶせ、可変性反射率を具えることによって前記第二データ構造の光学的な読み取りを制限する遮蔽層とによって再生回数を制限する機能を具える光学データ記憶メディアを構成する。
かかる再生回数を制限する機能を具える光学データ記憶メディアの構造と特徴を詳述するために、具体的な実施例を挙げ、図示を参照にして以下に説明する。
【００２６】
【第一の実施例】
図３は本発明による第一の実施例の光学データ記憶メディア（例えば、ＤＶＤ−５光ディスク）の断面図である。本実施例による再生回数を制限する機能を具える光学データ記憶メディアは単データ層構造に限らず、他の複数データ層構造（例えば、両データ層、三データ層）を具える光学データ記憶メディアにも適用される。図３に示すように、光学データ記憶メディア（５０）は、表面に複数の窪みデータ構造（５２ａ）が蝕刻してある基板（５２）と、基板（５２）及びデータ構造（５２ａ）の上に被さる遮蔽層（５４）と、表面に複数の窪みデータ構造（６０ａ）が蝕刻してある基板（６０）と、基板（６０）及びデータ構造（６０ａ）に被さる反射層（５８）と、反射層（５８）と遮蔽層（５４）との間に設けられ、基板（５２）と基板（６０）を接着する接着層（５６）とを含む。その中、基板（５２）（６０）がともにポリカーボネート基板であり、反射層（５８）が金属などの反射材料で構成され、遮蔽層（５４）が光学データ記憶メディアの読み取り回数を定義できる相変化（いわゆる相転移）材料で形成される。注目すべきところは、本発明によるＤＶＤ−５光ディスクに記録されるデータが反時計方向に沿って、上方の基板（６０）の表面（即ち、データ構造（６０ａ）である）に蝕刻されることが、一般のＤＶＤ−５光ディスクに記録されるデータが時計方向に沿って下方の基板の表面に蝕刻されることと違う。
【００２７】
光学データ記憶メディア（５０）にあるデータ（データ構造（６０ａ））を読み取りたい時に、使用者は、基板（５２）の下方に設けられるピックアップから発射され、焦点深さが予め合わせられるレーザー光（６２）を使い、基板（５２）、遮蔽層（５４）及び接着層（５６）を突き抜け、反射層（５８）に至って、更にピックアップの判別機構で反射層（５８）から反射されてくるレーザー光（６２）を測定し、データを読み取り及び判別する目的に達する。その後、光学データ記憶メディア（５０）の読み取り回数の増加につれて、光学データ記憶メディア（５０）に貯まっているエネルギーが遮蔽層（５４）の相変化材料に反射率を変化させる。例えば、相変化材料がもとの透明の非晶相から次第に比較的に不透明の結晶相に変化する。言い換えると、遮蔽層（５４）が読み取り回数の増加に従って、内部にある結晶相構造の変化を増加させ、自身の反射率も結晶相構造の変化の増加によって増加し、光が完全に遮蔽層（５４）を突き抜けることによってデータ構造（６０ａ）を読み取ることができないまでに増加することとなる。この時、データを読み取るレーザー光が遮蔽層（５４）の表面で反射現象を発生し、例えば図３に示すようなレーザー光（６４）となる。従って、使用者は、データ構造（６０ａ）の読み取り不可であることを表すエラーメッセージしか読み出すことができない。即ち、データ構造（５２ａ）だけとなる。
【００２８】
【第二の実施例】
図４は本発明による第二の実施例における単データ層を具える光学データ記憶メディア（例えば、ＤＶＤ−５光ディスク）の断面図である。そして、本実施例による再生回数を制限する機能を具える光学データ記憶メディアは単データ層構造に限らず、他の複数データ層構造（例えば、両データ層、三データ層）を具える光学データ記憶メディアにも適用される。図４に示すように、光学データ記憶メディア（７０）は、表面に複数の窪みデータ構造（７２ａ）が蝕刻してある基板（７２）と、基板（７２）及びデータ構造（７２ａ）の上に被さる反射層（７６）と、反射層（７６）の近くに（例えば、図示のように反射層（７６）の下方或いは図示しない上方に）設けられる反応層（７３）と、反応層（７３）と反射層（７６）との間に設けられるバリア層（７４）と、反射層（７６）の表面に設けられ、基板（７２）をもう一つの基板（８０）の表面に接着することとして使われる接着層（７８）を含む。その中、基板（７２）（８０）がともにポリカーボネート基板であり、反射層（７６）が金属などの反射材料で構成され、反応層（７３）が光学データ記憶メディアの読み取り回数を定義できる少なくとも一つ反応性化合物で形成される。
【００２９】
光学データ記憶メディア（７０）にあるデータ（データ構造（７２ａ））を読み取りたい時に、使用者は、基板（７２）の下方に設けられるピックアップから発射され、焦点深さが予め合わせられるレーザー光（８２）を使い、基板（７２）、反応層（７３）及びバリア層（７４）を突き抜け、反射層（７６）に至って、更にピックアップの判別機構で反射層（７６）から反射されてくるレーザー光（８２）を測定し、データを読み取り及び判別する目的に達する。その後、光学データ記憶メディア（７０）の読み取り回数の増加につれて、光学データ記憶メディア（７０）に貯まっているエネルギーが反応層（７３）を形成している反応性化合物をバリア層（７４）及び反射層（７６）に拡散させ、バリア層（７４）によって反応性化合物が反応層（７３）から反射層（７６）に拡散する時間を制御し、更に反射層（７６）に拡散した反応性化合物が反射層（７６）と作用し、反射層（７６）に可変性反射率を具えさせる。さらに具体的に述べると、光学データ記憶メディア（７０）の読み取り回数の増加につれて、部分的なデータ構造（７２ａ）の上方に被さる反射層（７６）の反射率が変わり、前記部分的なデータ構造を読み取るレーザー光（８２）に反射方向のずれ現象或いは光強度減りの現象を発生させる。これにより、ピックアップの判別機構は、反射光を有効的に測定できないので、本発明が光学データ記憶メディア（７０）の読み取り回数を制限する目的を達成することができる。
【００３０】
【第三の実施例】
図５は本発明による第三の実施例における単データ層を具える光学データ記憶メディア（例えば、ＤＶＤ−５光ディスク）の断面図である。そして、本実施例による再生回数を制限する機能を具える光学データ記憶メディアは単データ層構造に限らず、他の複数データ層構造（例えば、両データ層、三データ層）を具える光学データ記憶メディアにも適用される。図５に示すように、光学データ記憶メディア（９０）は、表面に複数の窪みデータ構造（９２ａ）が蝕刻してある基板（９２）と、基板（９２）及びデータ構造（９２ａ）の上に被さる遮蔽層（９３）と、遮蔽層（９３）の表面に被さる反射層（９６）と、遮蔽層（９３）の近くに（例えば、図示のように遮蔽層（９３）の上方或いは図示しない下方に）設けられる反応層（９５）と、反応層（９５）と遮蔽層（９３）との間に設けられるバリア層（９４）と、反射層（９６）の表面に設けられ、基板（９８）をもう一つの基板（１００）の表面に接着することとして使われる接着層（９８）を含む。その中、基板（９２）（１００）がともにポリカーボネート基板であり、反射層（９６）が金属などの反射材料で構成され、反応層（９５）が光学データ記憶メディアの読み取り回数を定義できる少なくとも一つの反応性化合物で形成される。
【００３１】
光学データ記憶メディア（９０）にあるデータ（データ構造（９２ａ））を読み取りたい時に、使用者は、基板（９２）の下方に設けられているピックアップから発射され、焦点深さが予め合わせられるレーザー光（１０２）を使い、基板（９２）、遮蔽層（９３）、バリア層（９４）及び反応層（９５）を突き抜け、反射層（９６）に至って、更にピックアップの判別機構で反射層（９６）から反射されてくるレーザー光（１０２）を測定し、データを読み取り及び判別する目的に達する。その後、光学データ記憶メディア（９０）の読み取り回数の増加につれて、光学データ記憶メディア（９０）に貯まっているエネルギーが反応層（９５）にある反応性化合物をバリア層（９４）及び遮蔽層（９３）に拡散させ、バリア層（９４）によって反応性化合物が反応層（９５）から遮蔽層（９３）に拡散する時間を制御し、更に遮蔽層（９３）に拡散した反応性化合物が遮蔽層（９３）と作用し、遮蔽層（９３）に可変性反射率を具えさせる。さらに具体的に述べると、光学データ記憶メディア（９０）読み取り回数の増加につれて、データ構造（９２ａ）の上方に被さる遮蔽層（９３）の反射率が変わり、前記データ構造を読み取るレーザー光（１０２）に反射方向のずれ現象或いは光強度減りの現象を発生させる。これにより、ピックアップの判別機構は、反射光を有効的に測定できないので、本発明が光学データ記憶メディア（９０）の読み取り回数を制限する目的を達成することができる。
【００３２】
【第四の実施例】
図６は本発明による第四の実施例における両データ層を具える光学データ記憶メディア（例えば、ＤＶＤ−９光ディスク）の断面図である。本発明による第四の実施例は、第二の実施例を適用したものであって、両データ層を具える光学データ記憶メディアの読み取りを制限する目的を達成する。即ち、反応性化合物によって反射層に可変性反射率を具えさせる。図６に示すように、光学データ記憶メディア（１１０）は、表面に複数の窪みデータ構造（１１２ａ）が蝕刻してある基板（１１２）と、基板（１１２）及びデータ構造（１１２ａ）の上に被さる半反射層（１１４）と、半反射層（１１４）の近くに（例えば、図示のように半反射層（１１４）の上方或いは図示しない下方に）設けられる反応層（１１６）と、基板（１２４）の表面及び基板（１２４）の表面に複数の窪みデータが蝕刻してある構造（１２４ａ）に被さる反射層（１２０）と、反射層（１２０）の近くに（例えば、反射層（１２０）の上方或いは下方に設けられる）設けられる反応層（１２２）と、半反射層（１１４）と反射層（１２０）との間に設けられ、基板（１１２）と基板（１２４）を接着することとして使われる接着層（１１８）とを含む。その中、基板（１１２）、（１２４）がともにポリカーボネート基板であり、半反射層（１１４）が金などの金属反射材料で構成され、反射層（１２２）がアルミなどの金属反射材料で構成され、反応層（１１６）、（１２２）が光学データ記憶メディアの読み取り回数を定義できる少なくとも一つ反応性化合物で形成される。
【００３３】
光学データ記憶メディア（１１０）の下層にあるデータ（データ構造（１１２ａ））を読み取りたい時に、使用者は、基板（１１２）の下方に設けられているピックアップから発射され、焦点深さが予め合わせられるレーザー光（１２６）を使い、基板（１１２）及びデータ構造（１１２ａ）を突き抜け、半反射層（１１４）に至って、更にピックアップの判別機構で半反射層（１１４）から反射されてくるレーザー光（１２６）を測定し、データ構造（１１２ａ）を読み取り及び判別する目的に達する。同様に、光学データ記憶メディア（１１０）の上層にあるデータ（データ構造（１２４ａ））を読み取りたい時に、使用者は、基板（１１２）の下方に設けられているピックアップから発射され、焦点深さが予め合わせられるレーザー光（１２８）を使い、基板（１１２）、半反射層（１１４）、反応層（１１６）及び接着層（１１８）を突き抜け、反射層（１２０）に至って、更にピックアップの判別機構で反射層（１２０）から反射されてくるレーザー光（１２８）を測定し、データ構造（１２４ａ）を読み取り及び判別する目的に達する。この場合、光学データ記憶メディア（１１０）の読み取り回数の増加につれて、光学データ記憶メディア（１１０）に貯まっているエネルギーが反応層（１１６）（１２２）にある反応性化合物をそれぞれ半反射層（１１４）及び反射層（１２０）に拡散させ、半反射層（１１４）及び反射層（１２０）に可変性反射率を具えさせる。さらに具体的に述べると、光学データ記憶メディア（１１０）読み取り回数の増加につれて、部分的なデータ構造（１１２ａ）の上方を覆い被せる半反射層（１１４）及び部分的なデータ構造（１２４ａ）の上方に被さる反射層（１２０）の反射率が変わり、前記部分的なデータ構造を読み取るレーザー光（１２６）、（１２８）に反射方向のずれ現象或いは光強度減りの現象を発生させる。これにより、ピックアップの判別機構は、反射光を有効的に測定できないので、本発明が光学データ記憶メディア（１１０）の読み取り回数を制限する目的を達成することができる。その他、反応性化合物が反応層（１１６）から半反射層（１１４）に、及び反応層（１２２）から反射層（１２０）に拡散する時間を有効的に制御するため、図示していないものの、本発明は、反応層（１１６）と半反射層（１１４）との間に、及び反応層（１２２）と反射層（１２０）との間にそれぞれバリア層を設け、バリア層と反応性化合物との作用によって半反射層（１１４）及び反射層（１２０）における反射の変化速度を制御し、更に光学データ記憶メディア（１１０）の読み取り時間或いは読み取り回数を制限する目的を達成することができる。
【００３４】
その他、図示していないが、本発明による他の実施例としては光学データ記憶メディアのリードインに判別機構を設けることができ、例えば、プログラムで回数を数える機能を設定しておき、光学データ記憶メディアの読み取り時間或いは読み取り回数が光学データ記憶メディアに定義される読み取り時間或いは読み取り回数を越えるかを計算すれば、より光学データ記憶メディアの使用寿命を有効的に制御することができる。
【００３５】
以上は、この発明の好ましい実施例であって、この発明の実施の範囲を限定するものではない。よって、当業者のなし得る修正、もしくは変更であっても、この発明の技術思想の下においてなされ、この発明に対して同等の効果を有するものは、いずれもこの発明の特許請求の範囲の範囲に属するものとする。
【００３６】
【発明の効果】
本発明は、光学データ記憶メディアを読み取る時に、貯まっているエネルギーで光学データ記憶メディアにある部分的な材料層の反射率が変化するので、光学データ記憶メディアに記憶されるデータ情報が読み取り回数につれて次第に弱くなり、最終的にデータを読み取ることができない目的を達成することができる。これにより、コピー防止プログラムがハッカーに破れる恐れを有効的に避けることができ、更に光学データ記憶メディアにおける自身の構造の材料変化によって違法使用者が無制限的に読み取ること及び光学データ記憶メディアに記憶されるデータを違法コピーすることを避けることができる。
【図面の簡単な説明】
【図１】従来技術による単データ層を具える光学データ記憶メディアの断面図である。
【図２】従来技術による両データ層を具える光学データ記憶メディアの断面図である。
【図３】本発明による第一の実施例の光学データ記憶メディアの断面図である。
【図４】本発明による第二の実施例の光学データ記憶メディアの断面図である。
【図５】本発明による第三の実施例の光学データ記憶メディアの断面図である。
【図６】本発明による第四の実施例の光学データ記憶メディアの断面図である。
【符号の説明】
１０、３０、５０、７０、９０、１１０　データ記憶メディア
１２、１８、３２、４０、５２、６０、７２、８０、９２、１００、１１２、１２４　基板
１２ａ、３２ａ、４０ａ、５２ａ、６０ａ、７２ａ、９２ａ、１１２ａ、１２４ａ　データ構造
１４、３８、５８、７６、９６、１２０　反射層
１６、３６、５６、７８、９８、１１８　接着層
２０、４２、４４、６２、６４、８２、１０２、１２６、１２８　レーザー光
３４、１１４　半反射層
５４、９３　遮蔽層
７３、９５、１１６、１２２　反応層
７４、９４　バリア層
【図１】
2004087071.tif 000003
【図２】
2004087071.tif 000004
【図３】
2004087071.tif 000005
【図４】
2004087071.tif 000006
【図５】
2004087071.tif 000007
【図６】
2004087071.tif 000008